(57)【要約】【課題】本発明は、カバーを留めるアジャストファスナーをピンでロック／アンロックすることにより、遠心乾燥機の運転時の安全性を確保することを目的とする。【解決手段】本発明による遠心乾燥機のカバーロック装置は、遠心乾燥機（１）のカバー（３）を留めるために設けられたアジャストファスナー（４）の係止用孔（２３）に挿入／離脱自在にピン（２１Ａ）を設け、このピン（２１Ａ）の動作をシリンダ（３０）と電磁弁（３２）とシーケンサ（３３）で制御する構成である。【選択図】　　　　図１
2004107885.tif 000002
【特許請求の範囲】
【請求項１】
遠心乾燥機（１）に設けられたカバー（３）と、前記カバー（３）に設けられたアジャストファスナー（４）と、前記アジャストファスナー（４）をロックするためのピン（２１Ａ）と、前記ピン（２１Ａ）を作動させるためのシリンダ（３０）及び電磁弁（３２）と、前記電磁弁（３２）に接続されたシーケンサ（３３）と、前記シーケンサ（３３）に接続され前記アジャストファスナー（４）をロック又はアンロックさせるための操作スイッチ（３４）とからなり、前記操作スイッチ（３４）の操作により前記電磁弁（３２）及びシリンダ（３０）を介して前記アジャストファスナー（４）のロック及びアンロックを行うことを特徴とする遠心乾燥機のカバーロック装置。
【請求項２】
前記遠心乾燥機（１）が停止中、前記操作スイッチ（３４）をロック側（３４Ｂ）に操作することにより、前記ピン（２１Ａ）で前記アジャストファスナー（４）をロックすると共に、前記電磁弁（３２）を非励磁状態とするように構成したことを特徴とする請求項１記載の遠心乾燥機のカバーロック装置。
【請求項３】
前記操作スイッチ（３４）をロック側（３４Ｂ）に操作しない場合において、前記遠心乾燥機（１）を起動させると前記シーケンサ（３３）により前記シリンダ（３０）が駆動されて前記アジャストファスナー（４）がロックされるように構成したことを特徴とする請求項１又は２記載の遠心乾燥機のカバーロック装置。
【請求項４】
前記シーケンサ（３３）には所定のタイマー時間を有するタイマー（４０）が設けられ、前記遠心乾燥機（１）に停止信号を与えてから前記タイマー時間が終了する迄は前記アジャストファスナー（４）のアンロック動作を不可能とするように構成したことを特徴とする請求項１ないし３の何れかに記載の遠心乾燥機のカバーロック装置。
【発明の詳細な説明】
【０００１】
【発明の属する技術分野】
本発明は、遠心乾燥機のカバーロック装置に関し、特に、アジャストファスナーをシーケンサを用いて電磁的にロック／アンロックし、運転時の安全性を確保するための新規な改良に関する。
【０００２】
【従来の技術】
従来の遠心乾燥機としては、文献等は特に示していないが、アジャストファスナーによってカバーを固定するようにしていた。
【０００３】
【発明が解決しようとする課題】
従来の遠心乾燥機は、以上のように構成されていたため、次のような課題が存在していた。
すなわち、遠心乾燥機の蓋であるカバーは、アジャストファスナーで留められているのみであるため、このアジャストファスナーは、レバーを手動で開ければ簡単に留め解除となり、運転中でも不用意にカバーを開けることができることから、安全性の確保に問題があった。
【０００４】
本発明は、以上のような課題を解決するためになされたもので、特に、アジャストファスナーをシーケンサを用いて電磁的にロック／アンロックし、運転時の安全性を確保するようにした遠心乾燥機のカバーロック装置を提供することを目的とする。
【０００５】
【課題を解決するための手段】
本発明による遠心乾燥機のカバーロック装置は、遠心乾燥機に設けられたカバーと、前記カバーに設けられたアジャストファスナーと、前記アジャストファスナーをロックするためのピンと、前記ピンを作動させるためのシリンダ及び電磁弁と、前記電磁弁に接続されたシーケンサと、前記シーケンサに接続され前記アジャストファスナーをロック又はアンロックさせるための操作スイッチとからなり、前記操作スイッチの操作により前記電磁弁及びシリンダを介して前記アジャストファスナーのロック及びアンロックを行う構成であり、また、前記遠心乾燥機が停止中、前記操作スイッチをロック側に操作することにより、前記ピンで前記アジャストファスナーをロックすると共に、前記電磁弁を非励磁状態とするようにした構成であり、また、前記操作スイッチをロック側に操作しない場合において、前記遠心乾燥機を起動させると前記シーケンサにより前記シリンダが駆動されて前記アジャストファスナーがロックされるようにした構成であり、また、前記シーケンサには所定のタイマー時間を有するタイマーが設けられ、前記遠心乾燥機に停止信号を与えてから前記タイマー時間が終了する迄は前記アジャストファスナーのアンロック動作を不可能とするようにした構成である。
【０００６】
【発明の実施の形態】
以下、図面と共に本発明による遠心乾燥機のカバーロック装置の好適な実施の形態について説明する。
図１において符号１で示されるものは遠心乾燥機であり、この遠心乾燥機１の開口２に開閉自在に設けられたカバー３は、周知の図３で示されるアジャストファスナー４で留められている。
【０００７】
前記アジャストファスナー４は、図３〜図５のように前記カバー３に固定される固定片１０と、この固定片１０の一端に軸支部１１を介して回動自在に軸支されたレバー１２と、このレバー１２に設けられ前記遠心乾燥機１に取付けられた取付板１３の係止部１４に係止される爪状の係止片（図示せず）と、前記レバー１２に設けられ前記係止片に接続されたノブ１４とから構成されている。
【０００８】
前記取付版１３には、取付片２０を介して全体形状がコ字型をなす保持体２１が固定されており、この保持体２１には棒状をなすピン２１Ａがばね２２を介して矢印Ｃの方向に沿って往復移動自在に設けられている。
前記ピン２１Ａは前記ばね２２によって常時上方へ向けて付勢され、このピン２１Ａの先端２１ａは前記レバー１２に形成された係止用孔２３内に出入して係止／解除が自在にできるように構成されている。
従って、この係止用孔２３内にピン２１Ａが挿入されて係止することにより、レバー１２は矢印Ｂの方向には回動できないようにロックされ、アジャストファスナー４のロックが達成される。
【０００９】
前記ピン２１Ａは、前記取付片２０上に配設されたシリンダ３０によって駆動されるように構成されており、このシリンダ３０を駆動するための駆動系は図１のように構成されている。
すなわち、前記シリンダ３０には外部からのエア３１を供給又は排出するためのエア駆動用の電磁弁３２が接続され、この電磁弁３２にはこの電磁弁３２の動作を制御するためのシーケンスのプログラムを内蔵したシーケンサ３３が接続され、このシーケンサ３３には操作スイッチ３４及び運転信号３５が接続されている。
【００１０】
図２は前記シーケンサ３３のロジック系を示しており、このシーケンサ３３内には例えば３０秒のタイマー４０が設けられ、タイマー４０のタイマー出力４１と操作スイッチ３４のアンロック信号４２がＡＮＤ回路４４に入力され、ロック信号４３と運転信号３５がＯＲ回路４５に入力されている。
前記ＡＮＤ回路４４とＯＲ回路４５の出力４４ａ及び４５ａは、電磁弁３２に接続された励磁回路４６のセット側入力Ｓ及びリセット側入力Ｒに接続されている。
【００１１】
次に、動作について説明する。まず、遠心乾燥機１が停止中に操作スイッチ３４をロック側３４Ｂに選択することにより、エア３１でシリンダ３０が前進動作となってピン２１が係止用孔２３に挿入されてアジャストファスナー４がロック状態（レバー１２が動作しない）となる。
前述の場合、フェイルセーフ動作として、図２で示されるように、電磁弁３２の励磁回路４６はリセットされ、電磁弁３２は非励磁状態となる。
【００１２】
尚、前述の状態で、電磁弁３２を非励磁状態としてロック状態を保つことは、例えば、遠心乾燥機１が運転中において、電磁弁３２内のコイルが損傷した場合でも、ピン２１Ａがロック状態を保つことができる。さらに、操作スイッチ３４の操作を忘れた場合でも、遠心乾燥機１が起動すると同時に自動的に電磁弁３２を作動させてシリンダ３０を前進動作させてアジャストファスナー４を自動的にロックさせるように、前記シーケンサ３３内のソフトにプログラムされている。
【００１３】
次に、操作スイッチ３４をロック側３４Ｂからアンロック側３４Ａに選択できる条件として、遠心乾燥機１が停止中のみ有効となるように動作プログラムが設定されており、例えば、遠心乾燥機１に運転状態から停止信号を与えた場合でも惰性で回転するイナーシャが存在するため、完全停止するまで個体差もあるが、約３０秒必要である。そのため、シーケンサ３３のソフトのタイマー４０に３０秒（このタイマー時間は任意に変更が可能である）が設定され、惰性回転中でもアンロック（すなわち、ロック解除）が出来ないように構成されている。
【００１４】
次に、前記操作スイッチ３４を実際にアンロック側３４Ａに選択した場合、電磁弁３２が励磁され、シリンダ３０は後退動作を行い、ピン２１Ａが係止用孔２３から離脱し始め、ばね２２の復帰力によってピン２１Ａが完全に抜け、アジャストファスナー４はアンロック状態となる。
【００１５】
【発明の効果】
本発明による遠心乾燥機のカバーロック装置は、以上のように構成されているため、次のような効果を得ることができる。すなわち、遠心乾燥機とそのカバー間に接続され、カバーの開閉をロック／アンロックさせるためのアジャストファスナーに形成された係止用孔にピンを挿入又は離脱させることにより、遠心乾燥機の操作の安全性を大幅に向上させることができる。
また、遠心乾燥機が停止中にロックとした場合には、電磁弁を非励磁としてロックしているため、運転開始後の電磁弁のコイル切断や操作スイッチの操作忘れの場合の安全性を確保することができる。
また、遠心乾燥機停止後の惰性による回転中のアンロックを防ぐために、ソフトによるタイマーによって所定時間経過後でないとアンロックにできないようにし、安全性の向上が計られている。
【図面の簡単な説明】
【図１】本発明による遠心乾燥機のカバーロック装置を示す構成図である。
【図２】図１の要部を示す回路図である。
【図３】図１のアジャストファスナーを示す正面図である。
【図４】図３の要部の平面図である。
【図５】図１の左側面図である。
【符号の説明】
１　　遠心乾燥機
３　　カバー
４　　アジャストファスナー
２１Ａ　　ピン
３０　　シリンダ
３２　　電磁弁
３３　　シーケンサ
３４　　操作スイッチ
３４Ｂ　　ロック側
４０　　タイマー
【図１】
2004107885.tif 000003
【図２】
2004107885.tif 000004
【図３】
2004107885.tif 000005
【図４】
2004107885.tif 000006
【図５】
2004107885.tif 000007